(57)【特許請求の範囲】
【請求項１】
内側ステータ面（５ａ）を有するステータ（５）と、前記内側ステータ面（５ａ）と密封の接触を形成するように配置された内側ロータ面（１２ａ）を有するロータ（１２）とを備えており、前記ロータ（１２）は、前記内側ステータ面（５ａ）に対して回転軸（ＲＡ）を中心にして複数のロータ位置に回転移動することができ、前記ステータ（５）は、各々が前記内側ステータ面（５ａ）に位置する対応する弁オリフィスに流体に関して連絡している複数の接続ポートを備え、前記ロータ（１２）は、前記弁オリフィスを前記ロータ位置に関連して選択的に流体に関して相互接続するための２つ以上のロータ相互接続経路を備えている、回転弁であって、
前記ステータ（５）は、少なくとも３つの一次接続ポートおよび少なくとも３つの二次接続ポートを備え、
前記ロータ相互接続経路は、前記ロータ（１２）を異なるロータ位置に回転させることによって少なくとも３つの二次接続ポートのすべてを一度に１つずつ少なくとも３つの一次接続ポートの各々に接続できるように、前記異なるロータ位置において前記一次接続ポートを前記二次接続ポートに相互接続するように構成されており、
前記ロータ相互接続経路は、
第１のロータ位置においては、第１の一次弁オリフィス（Ｃ１）を第１の二次弁オリフィス（８５ａ）と、第２の一次弁オリフィス（Ｃ２）を第２の二次弁オリフィス（８５ｂ）と、第３の一次弁オリフィス（Ｃ３）を第３の二次弁オリフィス（８５ｃ）と、第４の一次弁オリフィス（Ｃ４）を第４の二次弁オリフィス（８５ｄ）と相互接続し、
第２のロータ位置においては、前記第１の一次弁オリフィス（Ｃ１）を前記第４の二次弁オリフィス（８５ｄ）と、前記第２の一次弁オリフィス（Ｃ２）を前記第１の二次弁オリフィス（８５ａ）と、前記第３の一次弁オリフィス（Ｃ３）を前記第２の二次弁オリフィス（８５ｂ）と、前記第４の一次弁オリフィス（Ｃ４）を前記第３の二次弁オリフィス（８５ｃ）と相互接続し、
第３のロータ位置においては、前記第１の一次弁オリフィス（Ｃ１）を前記第３の二次弁オリフィス（８５ｃ）と、前記第２の一次弁オリフィス（Ｃ２）を前記第４の二次弁オリフィス（８５ｄ）と、前記第３の一次弁オリフィス（Ｃ３）を前記第１の二次弁オリフィス（８５ａ）と、前記第４の一次弁オリフィス（Ｃ４）を前記第２の二次弁オリフィス（８５ｂ）と相互接続し、
第４のロータ位置においては、前記第１の一次弁オリフィス（Ｃ１）を前記第２の二次弁オリフィス（８５ｂ）と、前記第２の一次弁オリフィス（Ｃ２）を前記第３の二次弁オリフィス（８５ｃ）と、前記第３の一次弁オリフィス（Ｃ３）を前記第４の二次弁オリフィス（８５ｄ）と、前記第４の一次弁オリフィス（Ｃ４）を前記第１の二次弁オリフィス（８５ａ）と相互接続する
ように構成されている、回転弁。
【請求項２】
前記ロータ（１２）を回転させることによって、前記一次接続ポートの前記二次接続ポートとの相互接続は、疑似移動床プロセスに従って変化する、請求項１に記載の回転弁。
【請求項３】
前記ロータ相互接続経路のうちの少なくとも２つは、部分的に湾曲した溝である、請求項１または２に記載の回転弁。
【請求項４】
前記ロータ相互接続経路のうちの少なくとも２つは、１つの円形溝と、１つの径方向チャネルとを備えている、請求項１乃至３のいずれか１項に記載の回転弁。
【請求項５】
前記円形溝は、当該回転弁の中心の周囲に同心円状に位置し、前記二次弁オリフィスが設けられた異なる半径に対応する異なる半径を有しており、前記径方向チャネルは、それぞれの円形溝から前記一次弁オリフィスの位置まで届くように設けられている、請求項４に記載の回転弁。
【請求項６】
余分な一次接続ポートおよび弁オリフィスが、カラムのバイパスおよび／または追加のカラムの設置を可能にするために前記ステータ（５）に設けられている、請求項１乃至５のいずれか１項に記載の回転弁。
【請求項７】
少なくとも３つのクロマトグラフィカラム（１１ａ、１１ｂ、１１ｃ、１１ｄ）を備えるクロマトグラフィシステムであって、
当該システムの少なくとも３つのカラムの入口に接続された少なくとも３つの一次接続ポートとおよび少なくとも３つの流入に接続された少なくとも３つの二次接続ポートとを含むカラム入口回転弁（６１、６１’）と、
当該システムの少なくとも３つのカラムの出口に接続された少なくとも３つのさらなる一次接続ポートおよび少なくとも３つの流出に接続された少なくとも３つのさらなる二次接続ポートとを含むカラム出口回転弁（６３、６３’）と、を備え、
前記カラム入口および出口回転弁（６１、６１’、６３、６３’）は、クロマトグラフィプロセスにおいて現時点において一次装てんカラムとして働いている前記クロマトグラフィカラムのうちの一つの出口から現時点において二次装てんカラムとして働いている前記クロマトグラフィカラムのうちの一つの入口へのフィードの再循環が可能なフィード再循環流路（７５）を提供するものであり、
前記フィード再循環流路は、一次装てんカラムとして順番に働いている当該システムのすべてのクロマトグラフィカラムから前記フィードの再循環をさらに運ぶことを可能とし、前記フィード再循環流路は、前記カラム入口および出口回転弁（６１、６１’、６３、６３’）を介して、前記カラムの入口および出口に順番に接続されており、
前記カラム入口および出口回転弁（６１、６１’、６３、６３’）は、
内側ステータ面（５ａ）を有するステータ（５）と、前記内側ステータ面（５ａ）と密封の接触を形成するように配置された内側ロータ面（１２ａ）を有するロータ（１２）とを備えており、前記ロータ（１２）は、前記内側ステータ面（５ａ）に対して回転軸（ＲＡ）を中心にして複数のロータ位置に回転移動することができ、前記ステータ（５）は、各々が前記内側ステータ面（５ａ）に位置する対応する弁オリフィスに流体に関して連絡している複数の接続ポートを備え、前記ロータ（１２）は、前記弁オリフィスを前記ロータ位置に関連して選択的に流体に関して相互接続するための２つ以上のロータ相互接続経路を備えており、
前記ステータ（５）は、前記少なくとも３つの一次接続ポートおよび前記さらなる一次接続ポートと、前記少なくとも３つの二次接続ポートおよび前記さらなる二次接続ポートとを備え、
前記ロータ相互接続経路は、前記フィード再循環流路が形成されるように、前記異なるロータ位置において、前記一次接続ポートを前記二次接続ポートに相互接続するように構成されている、クロマトグラフィシステム。
【請求項８】
前記クロマトグラフィカラムの入口は、前記入口回転弁（６１、６１’）の前記一次接続ポートの各々に１つずつ接続され、前記クロマトグラフィカラムの出口は、前記出口回転弁（６３、６３’）の前記一次接続ポートの各々に１つずつ接続され、前記流入は、前記入口回転弁（６１、６１’）の前記二次接続ポートの各々に１つずつ接続され、前記流出は、前記出口回転弁（６３、６３’）の前記二次接続ポートの各々に１つずつ接続され、前記ロータ相互接続経路は、少なくとも３つの流入の各々を前記入口回転弁（６１、６１’）によって少なくとも３つのカラム入口の各々に一度に１つずつ接続でき、少なくとも３つの流出の各々を前記出口回転弁（６３、６３’）によって少なくとも３つのカラム出口の各々に一度に１つずつ接続できるように設けられ、前記ロータを回転させることによって前記カラム入口への流入および前記カラム出口への流出が疑似移動床プロセスに従って変化する、請求項７に記載のクロマトグラフィシステム。
【請求項９】
前記フィード再循環流路（７５）は、検出器（７７）を備える、請求項７または８に記載のクロマトグラフィシステム。
【発明の詳細な説明】
【技術分野】
【０００１】
本発明は、弁に関し、より詳しくは回転弁に関する。
【背景技術】
【０００２】
弁は、流体の搬送を伴う装置において一般的に使用されている。例えば、中程度の規模の実験室システムにおいて使用される典型的な弁の種類は、回転弁である。
【０００３】
一般に、回転弁は、本明細書においてステータと呼ばれる静止体を有し、ステータは、本明細書においてロータと呼ばれる回転体と協働する。
【０００４】
ステータは、いくつかの入口および出口ポートを備える。これらのポートは、内側ステータ面上の対応する一連のオリフィスに流体に関して連絡したビア穴である。内側ステータ面は、ロータの内側ロータ面に流体を漏らさぬように接触するステータの内面である。ロータは、典型的にはディスクとして形成され、内側ロータ面は、内側ステータ面に押し付けられ、回転しながら協働する。内側ロータ面に、ステータに対するロータの回転位置に応じて種々のオリフィスを相互に接続する１つ以上の溝が設けられている。
【０００５】
回転弁を、高圧（２５ＭＰａを超える圧力など）に耐えるように設計することができる。回転弁を、ステンレス鋼、高性能ポリマー材料、およびセラミックなど、或る範囲の材料から製作することができる。
【０００６】
ロータまたはステータにおける入口／出口の数および溝の設計は、個々の弁の意図される用途を反映する。一般的な種類の多目的弁は、１つの入口ポート（典型的には、弁の回転軸に配置される）と、入口ポートの周囲に等間隔で配置されたいくつかの出口ポートとを有する。ロータは、単一の径方向に延びる溝を有し、この溝が、一端を回転中心に有することによって入口に常につながっている一方で、他端は、ステータに対するロータの角度位置に応じていずれか１つの出口につながる。このような弁は、入口から一度に１つの任意の出口に流れを案内するうえで有用である。
【０００７】
疑似移動床システムなどの連続クロマトグラフィのためのクロマトグラフィシステムにおいては、システムの種々のカラムにフィード（ｆｅｅｄ）およびバッファ（ｂｕｆｆｅｒ）を正しい順序で供給するために、通常は、多数の弁が使用される。そのようなシステムにおけるより良好な弁装置について、ニーズが存在する。
【先行技術文献】
【特許文献】
【０００８】
【特許文献１】国際公開第２０１４／０３１０６９号パンフレット
【発明の概要】
【０００９】
本発明の１つの目的は、連続クロマトグラフィに使用することができる回転弁を提供することにある。
【００１０】
本発明のさらなる目的は、便利かつ効果的な弁装置を備える連続クロマトグラフィシステムを提供することにある。
【００１１】
これは、内側ステータ面を有するステータと、内側ステータ面と密封の接触を形成するように配置された内側ロータ面を有するロータとを備えており、ロータは、内側ステータ面に対して回転軸を中心にして複数のロータ位置へ回転移動することができ、ステータは、各々が内側ステータ面に位置する対応する弁オリフィスに流体に関して連絡している複数の接続ポートを備え、ロータは、前記弁オリフィスをロータ位置に関連して選択的に流体に関して相互接続するための２つ以上のロータ相互接続経路を備えている、回転弁であって、
ステータは、少なくとも３つの一次接続ポートおよび少なくとも３つの二次接続ポートを備え、
ロータ相互接続経路は、
ロータを異なるロータ位置へ回転させることによって少なくとも３つの二次接続ポートのすべてを一度に１つずつ少なくとも３つの一次接続ポートの各々へ接続できるように、異なるロータ位置において一次接続ポートを二次接続ポートに相互接続するように構成されている、回転弁、において達成される。
【００１２】
これは、少なくとも３つのクロマトグラフィカラムを備えるクロマトグラフィシステムであって、
−当該システムの少なくとも３つのカラムの入口および少なくとも３つの流入に接続された上記で定めたとおりのカラム入口回転弁と、
−当該システムの少なくとも３つのカラムの出口および少なくとも３つの流出へ接続された上記で定めたとおりのカラム出口回転弁と、
−クロマトグラフィプロセスにおいて現時点において一次装てんカラム（ｌｏａｄ  ｃｏｌｕｍｎ）として働いているカラムの出口から現時点において二次装てんカラムとして働いているカラムの入口へのフィードの再循環を運ぶフィード再循環流路と
をさらに備えており、
前記フィード再循環流路は、一次装てんカラムとして働いている当該システムのすべてのカラムからフィードの再循環を運び、前記フィード再循環流路は、カラム入口および出口回転弁を介して、カラムの入口および出口に接続されている、クロマトグラフィシステム、においても達成される。
【００１３】
これにより、少なくとも３つのカラムおよび少なくとも３つの流入を、回転弁に接続することができ、回転弁は、流入をカラムのうちの任意の１つに接続することができる。これを、クロマトグラフィシステムにおいて使用することができる。これは、例えば疑似移動床クロマトグラフィシステムにおいて用いるための柔軟な回転弁を提供する。これにより、入口および出口回転弁と、フィードの再循環とを備えるクロマトグラフィシステムを、提供することができる。これは、伝統的な疑似移動床クロマトグラフィシステムと比べて、弁の数がより少なく、流れの接続部がより少ないシステムをもたらす。これは、便利かつ改善された回転弁およびクロマトグラフィシステムを提供する。
【００１４】
本発明の一実施形態において、一次接続ポートの二次接続ポートとの相互接続は、ロータを回転させることによって、疑似移動床プロセスに従って変化する。
【００１５】
本発明の一実施形態において、ロータ相互接続経路のうちの少なくとも２つは、部分的に湾曲した溝である。
【００１６】
本発明の一実施形態において、ロータ相互接続経路は、
−第１のロータ位置においては、第１の一次弁オリフィスを第１の二次弁オリフィスと、第２の一次弁オリフィスを第２の二次弁オリフィスと、第３の一次弁オリフィスを第３の二次弁オリフィスと、第４の一次弁オリフィスを第４の二次弁オリフィスと相互接続し、
−第２のロータ位置においては、第１の一次弁オリフィスを第４の二次弁オリフィスと、第２の一次弁オリフィスを第１の二次弁オリフィスと、第３の一次弁オリフィスを第２の二次弁オリフィスと、第４の一次弁オリフィスを第３の二次弁オリフィスと相互接続し、
−第３のロータ位置においては、第１の一次弁オリフィスを第３の二次弁オリフィスと、第２の一次弁オリフィスを第４の二次弁オリフィスと、第３の一次弁オリフィスを第１の二次弁オリフィスと、第４の一次弁オリフィスを第２の二次弁オリフィスと相互接続し、
−第４のロータ位置においては、第１の一次弁オリフィスを第２の二次弁オリフィスと、第２の一次弁オリフィスを第３の二次弁オリフィスと、第３の一次弁オリフィスを第４の二次弁オリフィスと、第４の一次弁オリフィスを第１の二次弁オリフィスと相互接続する
ように構成される。
【００１７】
本発明の一実施形態において、ロータ相互接続経路のうちの少なくとも２つは、１つの円形溝と、１つの径方向チャネルとを備える。
【００１８】
本発明の一実施形態において、円形溝は、回転弁の中心の周囲に同心円状に位置し、二次弁オリフィスが設けられた異なる半径に対応する異なる半径を有し、径方向チャネルは、それぞれの円形溝から一次弁オリフィスの位置まで届くように設けられる。
【００１９】
本発明の一実施形態においては、余分な一次接続ポートおよび弁オリフィスが、カラムのバイパスおよび／または追加のカラムの設置を可能にするためにステータに設けられる。
【００２０】
クロマトグラフィシステムの一実施形態において、前記クロマトグラフィカラムの入口は、前記入口回転弁の前記一次接続ポートの各々に１つずつ接続され、前記クロマトグラフィカラムの出口は、前記出口回転弁の前記一次接続ポートの各々に１つずつ接続され、前記流入は、前記入口回転弁の前記二次接続ポートの各々に１つずつ接続され、前記流出は、前記出口回転弁の前記二次接続ポートの各々に１つずつ接続され、前記ロータ相互接続経路は、少なくとも３つの流入の各々を入口回転弁によって少なくとも３つのカラム入口の各々に一度に１つずつ接続でき、少なくとも３つの流出の各々を出口回転弁によって少なくとも３つのカラム出口の各々に一度に１つずつ接続できるように設けられ、ロータを回転させることによってカラム入口への流入およびカラム出口への流出が疑似移動床プロセスに従って変化する。
【００２１】
クロマトグラフィシステムの一実施形態において、フィード再循環流路は、検出器を備える。これにより、システムにおける検出器の数を、伝統的な疑似移動床システムと比べて減らすことができる。
【図面の簡単な説明】
【００２２】
【図１】本発明の一実施形態による回転弁の概略の側面図である。
【図２ａ】本発明の回転弁を使用することができる４つのカラムを備えるクロマトグラフィシステムを概略的に示している。
【図２ｂ】本発明の回転弁を使用することができる３つのカラムを備えるクロマトグラフィシステムを概略的に示している。
【図３ａ】図２ａのクロマトグラフィシステムにおいて使用することができる本発明の一実施形態による回転弁を示している。
【図３ｂ】接続ポートを備えるステータの外側を示している。
【図３ｃ】図２ｂのクロマトグラフィシステムにおいて使用することができる本発明の一実施形態による回転弁を示している。
【図４】図３ａに示した回転弁の種々のロータ位置を示している。
【図５】カラムのバイパスが含まれている本発明の一実施形態による回転弁を示している。
【図６】図２のクロマトグラフィシステムにおいて使用することができる本発明の別の実施形態による回転弁を示している。
【図７】追加の４つのカラムの組を使用することができる本発明の別の実施形態による回転弁を示している。
【発明を実施するための形態】
【００２３】
典型的な回転弁１の主要な部品が、図１に概略的に示されている（ブラケットあるいは同様の荷重支持要素または固定要素は、図示されていない）。回転弁１は、ステータ５と、ロータ１２と、回転軸１３と、駆動ユニット１４とを有しており、回転軸１３は、回転軸１３の角度位置を認識するための手段（図示せず）を随意により備えてもよく、駆動ユニット１４は、典型的にはギヤボックスおよびモータを備えている（ただし、弁は手動操作されてもよい）。ロータは、弁の回転軸ＲＡを中心にしてステータに対して回転可能である。
【００２４】
ステータ５は、ステータ５を内蔵する計器に対して固定され、流体の供給源／出口ならびに弁と協働する任意の構成要素との流体の連絡のためのポートを備えている。ポートは、ステータの任意の適切な部分に、任意の適切な向きに配置されてよい。ポートは、毛管または配管を接続するための手段を備える。そのような手段は、当業者にとって周知の従来からのＶａｌｃｏ継手など、任意の適切な種類の手段であってよい。ポートは、内側ステータ面５ａ（すなわち、動作中にロータ１２と接触するステータの表面）上の対応する一連の弁オリフィスにチャネルを介して流体に関して連絡する。
【００２５】
ロータ１２は、典型的にはディスクとして形成され、動作時に平坦な内側ステータ面５ａに対して押し付けられて内側ステータ面５ａとの間に密封の接触を実現する内側ロータ面１２ａを有する。内側ロータ面１２ａには、ステータに対するロータの回転位置に応じて内側ステータ面５ａの種々の弁オリフィスを相互に接続する１つ以上の相互接続経路が設けられる。相互接続経路は、２つの弁オリフィスの間に流体の接触をもたらすことができる任意の種類の経路であってよく、個別のオリフィスを有する内部チャネル、内側ロータ面の溝、などで構成されてよい。
【００２６】
図２ａは、本発明による回転弁を設けることができるクロマトグラフィシステム６０を概略的に示している。この実施形態においては、４つのカラム１１ａ、１１ｂ、１１ｃ、１１ｄが、疑似移動床システムにおいて接続されている。しかしながら、カラムの数は、さまざまであってよい。本発明による回転弁を、例えば、さらに詳しく後述される３つのカラムまたは５つ以上のカラムを備えるシステムに使用することができる。本発明によるカラム入口回転弁６１が、システム内のカラムの入口に接続される。このカラム入口回転弁６１は、システム内のすべてのカラムの入口に接続され、さらに第１の流入１６（この実施形態においては、フィードに相当）、第２の流入１８（この実施形態においては、フィードの再循環に相当）、第３の流入２０（この実施形態においては、再生バッファに相当）、および第４の流入２１（この実施形態においては、溶出バッファに相当）に接続される。本発明による回転弁は、この図示のクロマトグラフィシステムにおいて、カラム出口回転弁６３としても設けられる。このカラム出口回転弁６３は、システム内のすべてのカラムの出口に接続され、さらに第１の流出３４（この実施形態においては、フィードの再循環に相当）、第２の流出２７（この実施形態においては、フィード出口に相当）、第３の流出２９（この実施形態においては、再生出口に相当）、および第４の流出３１（この実施形態においては、溶出出口に相当）に接続される。フィードの再循環の流路７５が、カラム入口回転弁６１とカラム出口回転弁６３との間に設けられている。疑似移動床クロマトグラフィシステムにおける一次装てんカラムから二次装てんカラムへのすべてのフィードの再循環は、このフィード再循環流路７５を通って運ばれる。検出器７７が、フィード再循環流路７５に設けられる。この検出器は、フィード再循環流路７５を通って流れるフィードの再循環の組成を表す流出物信号を検出するように構成される。一実施形態において、検出器は、ＵＶ検出器であり、すなわち試料のＵＶ吸収度を測定する。他に考えられる種類の検出器は、ｐＨ、伝導度、光散乱、蛍光、ＩＲ、または可視光を検出する。検出器のこの定義は、本明細書の全体を通して同じであろう。
【００２７】
図２ｂは、本発明による回転弁を設けることができるクロマトグラフィシステム６０’を概略的に示している。この実施形態においては、３つのカラム１１ａ’、１１ｂ’、１１ｃ’が、疑似移動床システムにおいて接続されている。本発明によるカラム入口回転弁６１’が、システム内のカラムの入口に接続される。このカラム入口回転弁６１’は、システム内のすべてのカラムの入口に接続され、さらに第１の流入１６’（この実施形態においては、フィードに相当）、第２の流入１８’（この実施形態においては、フィードの再循環に相当）、および第３の流入２０’（この実施形態においては、再生バッファおよび溶出バッファに相当）に接続される。本発明による回転弁は、この図示のクロマトグラフィシステムにおいて、カラム出口回転弁６３’としても設けられる。このカラム出口回転弁６３’は、システム内のすべてのカラムの出口に接続され、さらに第１の流出３４’（この実施形態においては、フィードの再循環に相当）、第２の流出２７’（この実施形態においては、フィード出口に相当）、および第３の流出２９’（この実施形態においては、再生および溶出出口に相当）に接続される。フィードの再循環の流路７５’が、カラム入口回転弁６１’とカラム出口回転弁６３’との間に設けられている。疑似移動床クロマトグラフィシステムにおける一次装てんカラムから二次装てんカラムへのすべてのフィードの再循環は、このフィード再循環流路７５’を通って運ばれる。検出器７７’が、フィード再循環流路７５’に設けられる。
【００２８】
フィードの再循環を備える模擬移動床法のためのスケジュールは、本発明の一実施形態において、フィードが第１のカラム１１ａに向けられる場合に、第１のカラム１１ａからの流出が第２のカラム１１ｂの入口に向けられなければならないスケジュールである。これにより、第２のカラム１１ｂが、二次装てんカラムとして機能し、第１のカラムが、一次装てんカラムとして機能する。例えばＵＶまたは時間によって測定することができるが、第１のカラムがいっぱいになったとき、フィードは、第１のカラムの代わりに第２のカラム１１ｂに直接向けられ（結果として、第２のカラム１１ｂが一次装てんカラムとして働き）、第２のカラム１１ｂからの流出が、第３のカラム１１ｃの入口に向けられ、したがって第３のカラム１１ｃが二次装てんカラムとして働く。同時に、溶出バッファ（第４の流入２１）を第１のカラム１１ａの入口に向け、第１のカラム１１ａからの流出を第４の流出３１（溶出出口）に向けることによって、第１のカラム１１ａの溶出が行われる。フィードが第３のカラム１１ｃに直接向けられるとき、第２のカラムの溶出が行われると同時に、第１のカラムの再生が行われることによって、再生バッファが第３の流入２０によって第１のカラム１１ａの入口にもたらされ、流出が第３の流出２９（再生出口）に向けられる。連続プロセスにおける最後の段階は、フィードが第４のカラム１１ｄに直接向けられるときに、第１のカラム１１ａが二次装てんカラムとして働くことである。したがって、第１のカラム１１ａからの流出が、第２の流出２７によってフィード出口に向けられる。これは、周期的逆流（ｐｅｒｉｏｄｉｃ  ｃｏｕｎｔｅｒ  ｃｕｒｒｅｎｔ）とも称される疑似移動床技術における公知のプロセスである。フィードの再循環の利点は、捕らえられないフィードが存在した場合に、そのようなフィードが失われる恐れが少なくなり、したがってフィードにおいてカラムにもたらされる試料の量を、通常のクロマトグラフィよりもはるかに多くできる点にある。一次装てんカラムを通過した後のフィード液体に捕らえられていないフィードが残る場合に、二次装てんカラムにおいて捕らえられるもう１回の機会が存在する。このプロセスが、リサイクルされる。入口および出口弁は、これらの上述の流れがもたらされるように制御システムから制御される。
【００２９】
図３ａが、図２ａに示した本発明の実施形態において使用することができるカラム入口または出口回転弁６１、６３について、考えられる設計を示している。回転弁は、内側ステータ面を有するステータと、内側ステータ面に接触して密封を形成するように配置された内側ロータ面を有するロータとを備える。ロータは、内側ステータ面に対して回転軸を中心にして回転して複数のロータ位置に移動することができる。ステータは、各々が内側ステータ面に位置する対応する弁オリフィスに流体に関して連絡している複数の接続ポートを備え、ロータは、前記弁オリフィスをロータ位置に関連して選択的に流体に関して相互接続するための２つ以上の相互接続経路を備える。図３ａにおいては、内側ステータ面の弁オリフィスと、ロータの相互接続経路とが、同じ図に示されている。図３ｂには、ステータの外側の接続ポートが示されている。しかしながら、これらの接続ポートを、任意の望まれるやり方で配置することが可能である。図２ａにおいて用いられる回転弁のこの実施形態において、ステータは、４つの一次弁オリフィスＣ１、Ｃ２、Ｃ３、Ｃ４を備えており、４つの一次弁オリフィスＣ１、Ｃ２、Ｃ３、Ｃ４の各々が、ステータの対応する一次接続ポート（図３ｂに示されている図では、Ｃ１１、Ｃ２２、Ｃ３３の３つだけしか見て取ることができない）に流体に関して連絡している。この例では、一次接続ポートは、システム内のカラムに接続される。ステータは、４つの二次弁オリフィス８５ａ、８５ｂ、８５ｃ、８５ｄをさらに備えており、４つの二次弁オリフィス８５ａ、８５ｂ、８５ｃ、８５ｄの各々が、ステータの対応する二次接続ポート（図３ｂに示されている図では、８５０ａ、８５０ｂの２つだけしか見て取ることができない）に流体に関して連絡している。この例において、二次接続ポートは、図２ａに示したシステムにおける流入（入口回転弁の場合）または流出（出口回転弁の場合）に接続される。ロータ内の相互接続経路は、ロータを種々のロータ位置に回転させることによってすべての二次弁オリフィスを一度に１つずつ各々の一次弁オリフィスに接続できるように、種々のロータ位置において一次弁オリフィスＣ１、Ｃ２、Ｃ３、Ｃ４を二次弁オリフィス８５ａ、８５ｂ、８５ｃ、８５ｄと相互接続するように配置される。
【００３０】
図３ａにおいて、ステータ弁オリフィスは、円によって示されている。Ｃ１、Ｃ２、Ｃ３、およびＣ４で指し示される４つの一次弁オリフィスが存在する。ステータの対応する一次接続ポートは、この実施形態においては、システム内のカラムへの接続である。さらに、４つの二次弁オリフィス、すなわち第１の二次弁オリフィス８５ａ、第２の二次弁オリフィス８５ｂ、第３の二次弁オリフィス８５ｃ、および第４の二次弁オリフィス８５ｄが存在する。入口回転弁６１に関しては、第１の二次弁オリフィス８５ａが、図２ａに示される実施形態において、ステータ内の対応する第１の二次接続ポートを介してフィードに接続され、第２の二次弁オリフィス８５ｂが、ステータ内の対応する第２の二次接続ポートを介してフィードの再循環に接続され、第３の二次弁オリフィス８５ｃが、ステータ内の対応する第３の二次接続ポートを介して再生に接続され、第４の二次弁オリフィス８５ｄが、ステータ内の対応する第４の二次接続ポートを介して溶出に接続される。回転弁が出口回転弁６３として使用される場合は、第１の二次弁オリフィス８５ａが、ステータ内の第１の二次接続ポートを介して上述のようにフィードの再循環に接続され、第２の二次弁オリフィス８５ｂが、ステータ内の第２の二次接続ポートを介してフィード出口に接続され、第３の二次弁オリフィス８５ｃが、ステータの第３の二次接続ポートを介して再生出口に接続され、第４の二次弁オリフィス８５ｄが、ステータの第４の二次接続ポートを介して上述のように溶出出口に接続される。
【００３１】
しかしながら、これらの二次弁オリフィスの順序および構成ならびに名称は、疑似移動床プロセスが回転弁のロータの回転から得られる限りにおいて、違うものであってもよい。回転弁のロータにおいて、ロータ相互接続経路は、この実施形態においては、溝として設けられる。この実施形態において、これらのロータ相互接続経路のうちの３つは、部分的に円の一部に沿って設けられている。ロータ相互接続経路は、一次弁オリフィスＣ１、Ｃ２、Ｃ３、Ｃ４の各々が回転弁の各々の回転位置において二次弁オリフィス８５ａ、８５ｂ、８５ｃ、８５ｄのそれぞれ１つに接続されるように配置されている。回転弁のロータを４つの異なる位置に回転させることによって、流入／流出（図２ａ）のカラムへの接続が、疑似移動床プロセスに従って変化する。これが、図４ａ〜図４ｄにも示されている。すなわち、
−回転弁の第１の回転位置（図４ａ）においては、第１の一次弁オリフィスＣ１が、第１の二次弁オリフィス８５ａに接続され、第２の一次弁オリフィスＣ２が、第２の二次弁オリフィス８５ｂに接続され、第３の一次弁オリフィスＣ３が、第３の二次弁オリフィス８５ｃに接続され、第４の一次弁オリフィスＣ４が、第４の二次弁オリフィス８５ｄに接続され、
−回転弁の第２の回転位置（図４ｂ）においては、第１の一次弁オリフィスＣ１が、第４の二次弁オリフィス８５ｄに接続され、第２の一次弁オリフィスＣ２が、第１の二次弁オリフィス８５ａに接続され、第３の一次弁オリフィスＣ３が、第２の二次弁オリフィス８５ｂに接続され、第４の一次弁オリフィスＣ４が、第３の二次弁オリフィス８５ｃに接続され、
−回転弁の第３の回転位置（図４ｃ）においては、第１の一次弁オリフィスＣ１が、第３の二次弁オリフィス８５ｃに接続され、第２の一次弁オリフィスＣ２が、第４の二次弁オリフィス８５ｄに接続され、第３の一次弁オリフィスＣ３が、第１の二次弁オリフィス８５ａに接続され、第４の一次弁オリフィスＣ４が、第２の二次弁オリフィス８５ｂに接続され、
−回転弁の第４の回転位置（図４ｄ）においては、第１の一次弁オリフィスＣ１が、第２の二次弁オリフィス８５ｂに接続され、第２の一次弁オリフィスＣ２が、第３の二次弁オリフィス８５ｃに接続され、第３の一次弁オリフィスＣ３が、第４の二次弁オリフィス８５ｄに接続され、第４の一次弁オリフィスＣ４が、第１の二次弁オリフィス８５ａに接続される。
【００３２】
本発明のこの図示の実施形態において、４つの一次弁オリフィスＣ１、Ｃ２、Ｃ３、Ｃ４は、ステータ上の一次円８１を巡って互いに等間隔に設けられている。４つの二次弁オリフィス８５ａ、８５ｂ、８５ｃ、８５ｄは、異なるロータ位置において４つの一次弁オリフィスのそれぞれ１つに上述のとおりの疑似移動床プロセスに適した順序でつながることができるように、内側ステータ面に配置されている。図３ａおよび４に示された実施形態において、二次弁オリフィスの位置は、二次弁オリフィスのうちの２つについて、一次弁オリフィスが設けられる一次円８１の内側に設けられ、それらのうちの１つは、ステータの中心に位置する。この例において、第４の二次弁オリフィス８５ｄの位置が、ステータの中心に設けられ、第１の二次弁オリフィス８５ａの位置が、中心と一次円８１との間に設けられることが、示されている。ここでは第２の二次弁オリフィス８５ｂおよび第３の二次弁オリフィス８５ｃと呼ばれる残りの２つの二次弁オリフィスは、一次円８１の外側において中心からの異なる半径に設けられ、別の方向にも引き離されている。したがって、ロータ内のロータ相互接続経路の設計は、４つのすべての一次弁オリフィスを異なるロータ位置において二次弁オリフィス８５ａ、８５ｂ、８５ｃ、８５ｄのそれぞれ１つに接続できるように設けられなければならない。これを達成するために、ロータ相互接続経路のうちの少なくとも３つは、曲げられた部分を備える必要がある。この実施形態において、第１のロータ相互接続経路８９ａが、すべてのロータ位置において第４の二次弁オリフィス８５ｄを一次弁オリフィスＣ１、Ｃ２、Ｃ３、Ｃ４のうちの１つに接続するように設けられる。第２のロータ相互接続経路８９ｂが、すべてのロータ位置において第１の二次弁オリフィス８５ａを一次弁オリフィスＣ１、Ｃ２、Ｃ３、Ｃ４のうちの１つに接続するように設けられる。これを実現するために、第２のロータ相互接続経路８９ｂは、部分的に、一次円８１の内側の円の一部に沿った湾曲溝として設けられる。さらに、第２のロータ相互接続経路８９ｂは、第１の二次弁オリフィス８５ａを一次弁オリフィスＣ１、Ｃ２、Ｃ３、Ｃ４のすべてに各々のロータ位置において１つずつ接続できるように、湾曲部から一次円８１の位置まで外方向に延びている延長部９１を備える。第３のロータ相互接続経路８９ｃが、すべてのロータ位置において第２の二次弁オリフィス８５ｂを一次弁オリフィスＣ１、Ｃ２、Ｃ３、Ｃ４のうちの１つに接続するように設けられる。これを実現するために、第３のロータ相互接続経路８９ｃは、部分的に、一次円８１の外側の円の一部に沿った湾曲溝として設けられる。さらに、第３のロータ相互接続経路８９ｃは、第２の二次弁オリフィス８５ｂを一次弁オリフィスＣ１、Ｃ２、Ｃ３、Ｃ４のすべてに各々のロータ位置において１つずつ接続できるように、湾曲部から一次円８１の位置まで内側に延びている延長部９３を備える。第４のロータ相互接続経路８９ｄが、すべてのロータ位置において第３の二次弁オリフィス８５ｃを一次弁オリフィスＣ１、Ｃ２、Ｃ３、Ｃ４のうちの１つに接続するように設けられる。これを実現するために、第４のロータ相互接続経路８９ｄは、部分的に、一次円８１の外側かつ第３のロータ相互接続経路８９ｃの外側の円の一部に沿った湾曲溝として設けられる。さらに、第４のロータ相互接続経路８９ｄは、第３の二次弁オリフィス８５ｃを一次弁オリフィスＣ１、Ｃ２、Ｃ３、Ｃ４のすべてに各々のロータ位置において１つずつ接続できるように、湾曲部から一次円８１の位置まで内側に延びている延長部９５を備える。この延長部９５は、すべての接続を適切に可能にするために湾曲させられ、あるいは傾けられる必要がある。種々のステータ弁オリフィスの機能および位置は、上述のとおりの疑似移動床プロセスが異なるロータ位置によって達成される限りにおいて、さまざまであってよい。
【００３３】
図３ａに示したとおりの入口回転弁および出口回転弁により、図２ａに示した疑似移動床システム６０を動作させることができ、フィードの再循環をただ１つのフィード再循環流路７５を通じてもたらすことができる。したがって、このフィード再循環流路７５は、入口回転弁６１の第２の二次弁オリフィス８５ｂおよび出口回転弁６３の第１の二次弁オリフィス８５ａに接続される。
【００３４】
図３ｃが、図２ｂに示した本発明の実施形態において使用することができるカラム入口または出口回転弁６１’、６３’について、考えられる設計を示している。図３ｃにおいては、内側ステータ面の弁オリフィスと、ロータ上の相互接続経路とが、同じ図に示されている。図２ｂにおいて用いられる回転弁のこの実施形態において、ステータは、３つの一次弁オリフィスＢ１、Ｂ２、Ｂ３を備えており、３つの一次弁オリフィスＢ１、Ｂ２、Ｂ３の各々が、ステータの対応する一次接続ポートに流体に関して連絡している。この例では、一次接続ポートは、システム内のカラムに接続される。ステータは、３つの二次弁オリフィス１８５ａ、１８５ｂ、１８５ｃをさらに備え、３つの二次弁オリフィス１８５ａ、１８５ｂ、１８５ｃの各々が、ステータの対応する二次接続ポートに流体に関して連絡している。この例において、二次接続ポートは、図２ｂに示したシステムにおける流入（入口回転弁の場合）または流出（出口回転弁の場合）に接続される。ロータ内の相互接続経路は、ロータを種々のロータ位置に回転させることによってすべての二次弁オリフィスを一度に１つずつ各々の一次弁オリフィスに接続できるように、種々のロータ位置において一次弁オリフィスＢ１、Ｂ２、Ｂ３を二次弁オリフィス１８５ａ、１８５ｂ、１８５ｃと相互接続するように配置される。
【００３５】
図３ｃにおいて、ステータ弁オリフィスは、円によって示されている。入口回転弁６１’に関しては、第１の二次弁オリフィス１８５ａが、図２ｂに示される実施形態において、ステータ内の対応する第１の二次接続ポートを介してフィードに接続され、第２の二次弁オリフィス１８５ｂが、ステータ内の対応する第２の二次接続ポートを介してフィードの再循環に接続され、第３の二次弁オリフィス１８５ｃが、ステータ内の対応する第３の二次接続ポートを介して再生および溶出に接続される。回転弁が出口回転弁６３’として使用される場合は、第１の二次弁オリフィス１８５ａが、ステータ内の第１の二次接続ポートを介して上述のようにフィードの再循環に接続され、第２の二次弁オリフィス１８５ｂが、ステータ内の第２の二次接続ポートを介してフィード出口に接続され、第３の二次弁オリフィス１８５ｃが、上述のようにステータの第３の二次接続ポートを介して再生および溶出出口に接続される。
【００３６】
しかしながら、これらの二次弁オリフィスの順序および構成ならびに名称は、疑似移動床プロセスが回転弁のロータの回転から得られる限りにおいて、違うものであってもよい。回転弁のロータにおいて、ロータ相互接続経路は、この実施形態においては、溝として設けられる。この実施形態において、これらのロータ相互接続経路のうちの２つは、部分的に円の少なくとも一部に沿って設けられている。ロータ相互接続経路は、一次弁オリフィスＢ１、Ｂ２、Ｂ３の各々が回転弁の各々の回転位置において二次弁オリフィス１８５ａ、１８５ｂ、１８５ｃのそれぞれ１つに接続されるように配置されている。回転弁のロータを３つの異なる位置に回転させることによって、流入／流出（図２ｂ）のカラムへの接続が、疑似移動床プロセスに従って変化する。
【００３７】
本発明のこの図示の実施形態において、３つの一次弁オリフィスＢ１、Ｂ２、Ｂ３は、ステータ上の一次円１８１を巡って互いに等間隔に設けられている。３つの二次弁オリフィス１８５ａ、１８５ｂ、１８５ｃは、異なるロータ位置において３つの一次弁オリフィスのそれぞれ１つに上述のとおりの疑似移動床プロセスに適した順序でつながることができるように、内側ステータ面に配置されている。図３ｃに示された実施形態において、二次弁オリフィスの位置は、二次弁オリフィスのうちの２つについて、一次弁オリフィスが設けられる一次円１８１の内側に設けられ、それらのうちの１つは、ステータの中心に位置する。この例において、第３の二次弁オリフィス１８５ｃの位置が、ステータの中心に設けられ、第１の二次弁オリフィス１８５ａの位置が、中心と一次円１８１との間に設けられることが、示されている。ここでは第２の二次弁オリフィス１８５ｂと呼ばれる最後の二次弁オリフィスは、一次円１８１の外側に設けられる。したがって、ロータ内のロータ相互接続経路の設計は、３つのすべての一次弁オリフィスを異なるロータ位置において二次弁オリフィス１８５ａ、１８５ｂ、１８５ｃのそれぞれ１つに接続できるように設けられなければならない。これを達成するために、ロータ相互接続経路のうちの少なくとも２つは、湾曲した部分を備える必要がある。この実施形態においては、第１のロータ相互接続経路１８９ａが、すべてのロータ位置において第３の二次弁オリフィス１８５ｃを一次弁オリフィスＢ１、Ｂ２、Ｂ３のうちの１つに接続するように設けられる。第２のロータ相互接続経路１８９ｂが、すべてのロータ位置において第１の二次弁オリフィス１８５ａを一次弁オリフィスＢ１、Ｂ２、Ｂ３のうちの１つに接続するように設けられる。これを実現するために、第２のロータ相互接続経路１８９ｂは、部分的に、一次円１８１の内側の円の一部に沿った湾曲溝として設けられる。さらに、第２のロータ相互接続経路１８９ｂは、第１の二次弁オリフィス１８５ａを一次弁オリフィスＢ１、Ｂ２、Ｂ３のすべてに各々のロータ位置において１つずつ接続できるように、湾曲部から一次円１８１の位置まで外方向に延びている延長部１９１を備える。第３のロータ相互接続経路１８９ｃが、すべてのロータ位置において第２の二次弁オリフィス１８５ｂを一次弁オリフィスＢ１、Ｂ２、Ｂ３のうちの１つに接続するように設けられる。これを実現するために、第３のロータ相互接続経路１８９ｃは、この実施形態においては、一次円１８１の外側の完全な円として設けられる。さらに、第３のロータ相互接続経路１８９ｃは、第２の二次弁オリフィス１８５ｂを一次弁オリフィスＢ１、Ｂ２、Ｂ３のすべてに各々のロータ位置において１つずつ接続できるように、湾曲部から一次円１８１の位置まで内側に延びている延長部１９３を備える。種々のステータ弁オリフィスの機能および位置は、上述のとおりの疑似移動床プロセスが異なるロータ位置によって達成される限りにおいて、さまざまであってよい。
【００３８】
図３ｃに示したとおりの入口回転弁および出口回転弁により、図２ｂに示した疑似移動床システム６０’を動作させることができ、フィードの再循環をただ１つのフィード再循環流路７５’を通じてもたらすことができる。したがって、このフィード再循環流路７５’は、入口回転弁６１’の第２の二次弁オリフィス１８５ｂおよび出口回転弁６３’の第１の二次弁オリフィス１８５ａに接続される。
【００３９】
図５が、図２ａに示した実施形態において使用することができる回転弁の別の実施形態の設計を示している。この実施形態においては、カラムのバイパスの機能が取り入れられている。これをもたらすために、４つの余分な一次弁オリフィスＣ１’、Ｃ２’、Ｃ３’、Ｃ４’が、一次円８１上の一次弁オリフィスＣ１、Ｃ２、Ｃ３、Ｃ４の間に設けられている。流れの接続を、流体をカラムに進入させることなくシステムを通って送ることができるように、入口および出口弁の間にもたらすことができる。これを、システムの洗浄に使用することができる。ロータおよびステータの設計は、これを除いて、先の実施形態について説明した設計とほとんど同じであり、ここではさらには説明しない。
【００４０】
図６が、図３ａおよび５に示した回転弁の別の実施形態を示している。この実施形態は、図５に関して説明したとおりのバイパスの機能を備えても、備えなくてもよい。ここで、４つの余分な一次弁オリフィスＣ１’、Ｃ２’、Ｃ３’、およびＣ４’が示されているが、これらを省略することも可能である。４つの一次弁オリフィスＣ１、Ｃ２、Ｃ３、およびＣ４が、この実施形態において示されている。４つの一次弁オリフィスＣ１、Ｃ２、Ｃ３、およびＣ４は、図３ａに示した実施形態について説明したやり方と同じやり方で、一次円８１を巡って等間隔で設けられている（しかしながら、この実施形態においては、この一次円８１を、実際には、さらに後述されるように中心から任意の半径距離に設けることができる）。ステータの二次弁オリフィス８５ａ、８５ｂ、８５ｃ、８５ｄも、図３ａに関連して説明した実施形態と同じ位置に設けられる。相違点は、ロータ相互接続経路が、内側ロータ面の円形溝と、ロータ内に穿孔された径方向のチャネルとに分割されていることにある。これにより、円形溝は、径方向のチャネルと干渉することがなく、円形溝を、完全な円として設けることができる。さらに詳しくは、第１のロータ相互接続経路８９ａ’が、第４の一次弁オリフィスＣ４と第４の二次弁オリフィス８５ｄとを接続する第１の径方向のチャネルとして設けられている。このチャネルは、ロータの表面の下方かつさらに後述される円形溝の底の下方に設けられている。第２のロータ相互接続経路８９ｂ’が、２つの部分を備えており、すなわち一次円８１の内側において第１の二次弁オリフィス８５ａと同じ中心からの距離に設けられた１つの第２の円形溝部分１８９ｂと、１つの第２の径方向チャネル部分２８９ｂとを備えている。第２の径方向チャネル部分２８９ｂは、一次円８１から第１の二次弁オリフィス８５ａの位置まで設けられているが、ロータの内部に穿孔されている。第３のロータ相互接続経路８９ｃ’も、２つの部分を備えており、すなわち一次円８１の外側において第２の二次弁オリフィス８５ｂと同じ中心からの距離に設けられた１つの第３の円形溝部分１８９ｃと、１つの第３の径方向チャネル部分２８９ｃとを備えている。第３の径方向チャネル部分２８９ｃは、第３の円形溝部分１８９ｃから一次円８１まで設けられ、ロータの内部に穿孔されている。第４のロータ相互接続経路８９ｄ’も、２つの部分を備えており、すなわち第３の円形溝部分１８９ｃの外側において第３の二次弁オリフィス８５ｃと同じ中心からの距離に設けられた１つの第４の円形溝部分１８９ｄと、１つの第４の径方向チャネル部分２８９ｄとを備えている。第４の径方向チャネル部分２８９ｄは、第４の円形溝部分１８９ｄから一次円８１まで設けられ、ロータの内部に穿孔されている。これにより、円形溝を、図３に示した実施形態と異なり、完全な円として設けることができる。やはり図６に示されるとおり、バイパスを、一次円８１上にバイパスカラム接続Ｃ１’、Ｃ２’、Ｃ３’、Ｃ４’を備えることによって、この実施形態にも設けることができる。ロータの内部の穿孔によるチャネルを使用するこの方法によれば、チャネルが互いに干渉するという問題を解消できるため、一次弁オリフィスＣ１、Ｃ２、Ｃ３、Ｃ４を、所望のとおりの任意の径方向距離に設けることが可能である。
【００４１】
図７が、図６に関連して説明した実施形態と同様の本発明の別の実施形態を示している。唯一の相違点は、一次円８１上にもう１組の一次弁オリフィスが設けられていることにある。このやり方で、４つのカラムからなる第２の組を、システムに接続することができる。第１組の４つのカラムが最初に何回かのクロマトグラフィサイクルについて使用される場合、第２組の４つのカラムを、第１組が交換または清掃を必要とするときに使用することができる。これは、システムに効率の改善をもたらす。さらに、この図示の実施形態においては、カラムのバイパスも提供される。
【００４２】
本発明による回転弁は、上述の実施形態において開示された原理と同じ原理に従って、接続されるカラムの数が他の数である場合にも採用可能である。例えば、円形溝と径方向チャネルとを備えている図６に示した実施形態において、システムにおける追加のカラムのために、追加の円形溝および径方向チャネルを単純に追加することができる。５つのカラムを使用するシステムを、例えば、再生工程が２つの工程（１つがその場でのカラムの清掃であり、１つが平衡化である）に分割される場合に使用することができる。６つのコラムでさえも、溶出が洗浄および溶出に分割される場合に、システムにおいて使用することができる。
【００４３】
他の可能性は、本発明による回転弁を入口または出口弁のいずれかとして使用し、カラムの他方の側には他の伝統的な弁を使用することであり、すなわち本発明による回転入口弁が入口側に使用される場合に、伝統的な別々の出口弁をカラムの出口について使用し、あるいは本発明による回転出口弁が使用される場合に、伝統的な別々の入口弁をカラムに使用することである。これも、本発明に包含されるべきである。
【符号の説明】
【００４４】
１  回転弁
５  ステータ
５ａ  内側ステータ面
１１ａ、１１ａ’、１１ｂ、１１ｂ’、１１ｃ、１１ｃ’、１１ｄ  カラム
１２  ロータ
１２ａ  内側ロータ面
１３  回転軸
１４  駆動ユニット
１６、１６’  第１の流入（フィード）
１８、１８’  第２の流入（フィードの再循環）
２０  第３の流入（再生バッファ）
２０’  第３の流入（再生バッファおよび溶出バッファ）
２１  第４の流入（溶出バッファ）
２７、２７’  第２の流出（フィード出口）
２９  第３の流出（再生出口）
２９’  第３の流出（再生および溶出出口）
３１  第４の流出（溶出出口）
３４、３４’  第１の流出（フィードの再循環）
６０、６０’  クロマトグラフィシステム、疑似移動床システム
６１、６１’  カラム入口回転弁
６３、６３’  カラム出口回転弁
７５、７５’  フィード再循環流路
７７、７７’  検出器
８１  一次円
８５ａ、８５ｂ、８５ｃ、８５ｄ  二次弁オリフィス
８９ａ、８９ａ’、８９ｂ、８９ｂ’、８９ｃ、８９ｃ’、８９ｄ、８９ｄ’  ロータ相互接続経路
９１  延長部
９３  延長部
９５  延長部
１８１  一次円
１８５ａ、１８５ｂ、１８５ｃ  二次弁オリフィス
１８９ａ、１８９ｂ、１８９ｃ、１８９ｄ  ロータ相互接続経路
１８９ｂ、１８９ｃ、１８９ｄ  円形溝部分
１９１  延長部
１９３  延長部
２８９ｂ、２８９ｃ、２８９ｄ  径方向チャネル部分
８５０ａ、８５０ｂ  二次接続ポート
Ｂ１、Ｂ２、Ｂ３  一次弁オリフィス
Ｃ１、Ｃ２、Ｃ３、Ｃ４  一次弁オリフィス
Ｃ１’、Ｃ２’、Ｃ３’、Ｃ４’  余分な一次弁オリフィス
Ｃ１１、Ｃ２２、Ｃ３３  一次接続ポート
ＲＡ  回転軸
【図１】
0006575946.tif 000002
【図２ａ】
0006575946.tif 000003
【図２ｂ】
0006575946.tif 000004
【図３ａ】
0006575946.tif 000005
【図３ｂ】
0006575946.tif 000006
【図３ｃ】
0006575946.tif 000007
【図４】
0006575946.tif 000008
【図５】
0006575946.tif 000009
【図６】
0006575946.tif 000010
【図７】
0006575946.tif 000011